(57)【特許請求の範囲】
【請求項１】
少なくとも光クロスコネクト部、波長セレクト部、光スプリット・セレクト部、及びトランスポンダ部を備え、前記光クロスコネクト部と前記波長セレクト部との間、前記波長セレクト部と前記光スプリット・セレクト部との間、及び前記光スプリット・セレクト部と前記トランスポンダとの間、がそれぞれ光パッチコードによって接続された光ノード装置であって、
試験用の光信号の送信及び停止を制御する制御手段と、
前記制御手段からの指令により前記試験用の光信号を送信する送信手段と、
前記送信手段から送信された前記試験用の光信号を受信する受信手段と、
前記受信手段において、前記試験用の光信号を受信できたか否かを判別する判別手段と、
前記送信手段から送信された前記試験用の光信号が通過する経路中に配置された送信光バンドカプラ部と、
前記受信手段において受信される前記試験用の光信号が通過する経路中に配置された受信光バンドカプラ部と、
前記送信光バンドカプラ部と前記受信光バンドカプラ部との間に配置された、前記光パッチコードの接続の異常箇所を特定するためのループバックスイッチ部と、
を含むことを特徴とする光ノード装置。
【請求項２】
前記判別手段において、前記試験用の光信号を受信することができなかったと判別されたときには、前記光パッチコードの接続に異常がある旨を報知する報知手段をさらに含むことを特徴とする請求項１に記載の光ノード装置。
【請求項３】
前記送信手段において、前記試験用の光信号が反射されたか否かを判定する判定手段をさらに含み、前記報知手段は、前記判定手段において、前記試験用の光信号が反射されたと判定されたときには、前記光パッチコードの接続に異常がある旨を報知することを特徴とする請求項２に記載の光ノード装置。
【請求項４】
前記光クロスコネクト部、波長セレクト部、光スプリット・セレクト部、及びトランスポンダ部によって構成される光ノード装置は、ＲＯＡＤＭ(Reconfigurable Optical Add Drop Multiplexer)ノード装置であることを特徴とする請求項１から３のいずれか１項に記載の光ノード装置。
【請求項５】
少なくとも光クロスコネクト部、波長セレクト部、光スプリット・セレクト部、及びトランスポンダ部を備え、前記光クロスコネクト部と前記波長セレクト部との間、前記波長セレクト部と前記光スプリット・セレクト部との間、及び前記光スプリット・セレクト部と前記トランスポンダとの間、がそれぞれ光パッチコードによって接続された光ノード装置の接続確認方法であって、
制御手段が試験用の光信号の送信及び停止を制御する工程と、
送信手段が前記制御手段からの指令により前記試験用の光信号を送信する工程と、
受信手段が前記送信手段から送信された前記試験用の光信号を受信する工程と、
判定手段が前記受信手段において前記試験用の光信号を受信できたか否かを判別する工程と、
前記送信手段から送信された前記試験用の光信号が通過する経路中に配置された送信光バンドカプラ部と前記受信手段において受信される前記試験用の光信号が通過する経路中に配置された受信光バンドカプラ部との間に配置されたループバックスイッチによって前記光パッチコードの接続の異常箇所を特定する工程と、
を含むことを特徴とする接続確認方法。
【請求項６】
少なくとも光クロスコネクト部、波長セレクト部、光スプリット・セレクト部、及びトランスポンダ部を備え、前記光クロスコネクト部と前記波長セレクト部との間、前記波長セレクト部と前記光スプリット・セレクト部との間、及び前記光スプリット・セレクト部と前記トランスポンダとの間、がそれぞれ光パッチコードによって接続された光ノード装置の接続確認をコンピュータに実行させるプログラムであって、
制御手段が試験用の光信号の送信及び停止を制御する処理と、
送信手段が前記制御手段からの指令により前記試験用の光信号を送信する処理と、
受信手段が前記送信手段から送信された前記試験用の光信号を受信する処理と、
判定手段が前記受信手段において前記試験用の光信号を受信できたか否かを判別する処理と、
前記送信手段から送信された前記試験用の光信号が通過する経路中に配置された送信光バンドカプラ部と前記受信手段において受信される前記試験用の光信号が通過する経路中に配置された受信光バンドカプラ部との間に配置されたループバックスイッチによって前記光パッチコードの接続の異常箇所を特定する処理と、
を実行させるためのプログラム。
【発明の詳細な説明】
【技術分野】
【０００１】
本発明は、光ノード装置、光ノード装置の接続確認方法、及びプログラムに関する。
【背景技術】
【０００２】
波長多重方式とパス管理の技術を組み合わせることで、ネットワーク全域においてあらゆる波長を管理し、超高速・大容量の伝送ネットワークを運用することができるネットワーク技術としてＲＯＡＤＭ(Reconfigurable Optical Add Drop Multiplexer)システム（以下、単に「システム」という場合がある。）が知られている。
【０００３】
従来のＲＯＡＤＭシステムについて、図７を参照して説明する。図７は、従来のＲＯＡＤＭノードの構成を示すブロック図である。従来のＲＯＡＤＭノードにおいて、光クロスコネクト部１、２、波長セレクト部１、２、光スプリット＆セレクト部１、及びトランスポンダ部１は、光パッチコード（コネクタの付いた短いケーブル）で接続され、その接続確認は、作業者の目視確認により行われていた。
【０００４】
図７はｎ方路（方向）（ただし、ｎはｎ≧２を満たす整数）の光伝送路と接続可能で、カラーレス(波長無依存)、ディレクションレス(方路無依存)、及びコンテンションレス(競合無依存)を実現し、あるトランスポンダ部が任意の接続ポート、任意の方路、及び任意の波長に接続可能なＲＯＡＤＭノードの構成例を示している。
【０００５】
ＲＯＡＤＭノードは、装置制御・管理部１０１、複数の光クロスコネクト部１、２、複数の波長セレクト部１、２、光スプリット＆セレクト部１、及びトランスポンダ部１から構成されている。
【０００６】
まず、ＲＯＡＤＭノードのドロップ方向の動作について説明する。ＲＯＡＤＭノードはｎ方路のうち、光伝送路Ａ又は光伝送路Ｄから入力される他ノードからの入力信号（主信号）を、それぞれ光増幅機能を有する受信アンプ部１又は受信アンプ部２にて受信し、光増幅を行い、ＲＯＡＤＭノード内部に出力する。
【０００７】
受信アンプ部１からの出力は、光分配部１、波長選択部１、及び受信光スプリット部１を通り、受信光スイッチ部１に出力される。受信アンプ部２からの出力は、光分配部２、波長選択部２、及び受信光スプリット部２を通り、受信光スイッチ部１に出力される。受信光スイッチ部１は、複数の方路からの信号から主信号受信部２に接続する信号を選択し、接続する機能を有する。
【０００８】
主信号受信部２は主信号波長の受信を行う。
【０００９】
装置制御・管理部１０１は、接続検出光の送信・停止制御を行い、期待する接続先で接続検出用の光が受信できたか否かを判定し、接続の正常性を判定する。正常性が判定できなければ、警報を通知し、ユーザに接続確認・修正を行うことを促す。
【００１０】
装置制御・管理部１０１は、未接続箇所や光コネクタ部の汚れがあると判定した場合には、ユーザに警報を通知し、接続又は光コネクタの清掃を行うことを促す。
【００１１】
次に、ＲＯＡＤＭノードのアド方向の動作について説明する。トランスポンダ部１の主信号送信部１の出力に接続されている送信光スイッチ部1は、送信光スプリット部１又は送信光スプリット部２の複数の方路の中から接続する方路を選択し、信号を接続する機能を有する。
【００１２】
主信号送信部１からの出力は、送信光スプリット部１、光カプラ部１、及び波長選択接続部１を通り、送信アンプ部1に出力されるか、送信光スプリット部２、光カプラ部２、及び波長選択接続部２を通り、送信アンプ部２に出力される。
【００１３】
光カプラ部１と、波長選択接続部１とから出力された主信号波長は、送信アンプ部１の方向へ入力される。
【００１４】
光カプラ部２と、波長選択接続部２とから出力された主信号波長は、送信アンプ部２の方向へ入力される。
【００１５】
装置制御・管理部１０１は、接続検出光の送信・停止制御を行い、期待する接続先で接続検出用の光が受信できたか否かを判定し、接続の正常性を判定する。正常性が確認できなかったとき、装置制御・管理部１０１は、警報を鳴動させ、ユーザに対して接続確認・修正を行うことを促す。
【００１６】
反射光が確認された場合には、装置制御・管理部１０１は未接続箇所や光コネクタ部の汚れがあると判定し、警報を鳴動させ、ユーザに対して接続箇所の確認や光コネクタの清掃を行うことを促す。
【００１７】
ＲＯＡＤＭノードは、ｎ方路のうち、ここでは具体例として、光伝送路Ｂ又は光伝送路Ｃへ出力される主信号を光増幅する機能を有する。送信アンプ部１又は送信アンプ部２において光増幅が行われ、光伝送路Ｂ又は光伝送路Ｃへ出力される。
【００１８】
受信アンプ部１又は受信アンプ部２において受信され、光増幅が行われ、ＲＯＡＤＭノード内部に出力される。ＲＯＡＤＭノードにおいて、光伝送路Ａ、光伝送路Ｃ以外の方路及び光伝送路Ｂ、光伝送路Ｄ以外の方路に対する動作はそれぞれ光伝送路Ａ、光伝送路Ｃ及び光伝送路Ｂ、光伝送路Ｄに対する動作と同様である。
【００１９】
このような従来のＲＯＡＤＭノードにおいては、カラーレス、ディレクションレス、及びコンテンションレス機能を有することにより、ノード内の光パッチコード接続及び光波長アド・ドロップ設定による光接続が複雑となるため、接続の正常性を確認することが容易ではなく、誤接続の発生や誤接続による運用中の主信号への干渉が発生し、通信障害が発生することがあった。
【００２０】
さらに、従来のＲＯＡＤＭノードは、ｎ方路の光伝送路と接続が可能であり、カラーレス、ディレクションレス、及びコンテンションレスを実現し、あるトランスポンダ部が任意の接続ポート、任意の方路及び任意の波長に接続が可能であるため、光パッチコード接続及び光波長アド・ドロップ設定により任意の接続ポート、任意の方路及び任意の波長に接続され、その接続確認は、専ら作業者の目視確認により行われていた。
【先行技術文献】
【特許文献】
【００２１】
【特許文献１】特許第４５００１３６号公報
【発明の概要】
【発明が解決しようとする課題】
【００２２】
しかしながら、図７に示したように、光パッチコード接続及び光波長アド・ドロップ設定が複雑になるに従い、接続の正常性を確認することが、作業者の目視による確認方法では限界があり、スムーズなシステム運用開始、及びシステム運用回線への影響を考慮すると以下に述べるような課題があった。
【００２３】
すなわち、第一に、光パッチコードの誤接続や光波長アド・ドロップ設定ミスにより、主信号が導通せず、システムの運用開始が遅れてしまうということである。次に、光パッチコードの誤接続や光波長アド・ドロップ設定ミスにより、すでにシステム運用中である主信号との干渉が発生してしまい、システム運用回線において通信障害が発生してしまうということである。
【００２４】
さらに、光パッチコードの誤接続や光波長アド・ドロップ設定ミスが起きた場合、主信号が導通しないことや、システム運用回線に通信障害が発生していることが分かるまで、作業者が、光パッチコードの誤接続や光波長アド・ドロップ設定ミスが起きていることに気付かないことである。そして、光パッチコードの誤接続や光波長アド・ドロップ設定ミスをシステムの遠隔から確認することができないということである。
【００２５】
そこで本発明は、上記従来の問題点に鑑みてなされたもので、システムの運用開始前に、ノード内の光パッチコード接続及び光波長アド・ドロップ設定の正常性を確認する機能を備えることにより、誤接続や、誤接続によるシステム運用中の主信号への干渉の影響を排除することができる光ノード装置、光ノード装置の接続確認方法、及びプログラムを提供することを目的とする。
【課題を解決するための手段】
【００２６】
上記課題を解決するため、請求項１に記載の本発明における光ノード装置は、少なくとも光クロスコネクト部、波長セレクト部、光スプリット・セレクト部、及びトランスポンダ部が互いに光パッチコードによって接続された光ノード装置であって、試験用の光信号の送信及び停止を制御する制御手段と、前記制御手段からの指令により前記試験用の光信号を送信する送信手段と、前記送信手段から送信された前記試験用の光信号を受信する受信手段と、前記受信手段において、前記試験用の光信号を受信できたか否かを判別する判別手段と、を含むことを特徴とする。
【００２７】
また、本発明における光ノード装置は、請求項１に記載の光ノード装置において、前記判別手段におい  て、前記試験用の光信号を受信することができなかったと判別されたときには、前記光パッチコードの  接続に異常がある旨を報知する報知手段をさらに含むことを特徴とする。
【００２８】
さらに、本発明における光ノード装置は、請求項２に記載の光ノード装置において、前記試験用の光信号が反射されたか否かを判定する判定手段をさらに含み、前記報知手段は、前記判定手段において、前記試験用の光信号が反射されたと判定されたときには、前記光パッチコードの接続に異常がある旨を報知することを特徴とする。
【００２９】
また、本発明における光ノード装置は、請求項１から３のいずれか１項に記載の光ノード装置において、前記試験用の光信号は、前記光ノード装置の運用時に使用される光信号とは異なる波長を有することを特徴とする。
【００３０】
そして、本発明における光ノード装置は、請求項１から４のいずれか１項に記載の光ノード装置において、前記試験用の光信号と前記運用時に使用される光信号とを分離及び結合する分離結合手段をさらに含むことを特徴とする。
【００３１】
また、本発明における光ノード装置は、請求項５に記載の光ノード装置において、前記分離結合手段は、前記試験用の光信号と前記運用時に使用される光信号とを、波長の相違に基づいて分離結合することを特徴とする。
【００３２】
さらに、本発明における光ノード装置は、請求項１から３のいずれか１項に記載の光ノード装置において、前記判別手段は、前記受信手段において受信された前記試験用の光信号のレベルに基づいて判別を行い、前記判定手段は、前記送信手段において反射された前記試験用の光信号のレベルに基づいて判定を行うことを特徴とする。
【００３３】
また、本発明における光ノード装置は、請求項１から４のいずれか１項に記載の光ノード装置において、前記トランスポンダ部は、前記運用時に使用される光信号を送信する主信号送信手段と、前記試験用の光信号を送信する試験信号送信手段とを一体化した主信号・試験信号送信手段と、前記運用時に使用される光信号を受信する主信号受信手段と、前記試験用の光信号を受信する試験信号受信手段とを一体化した主信号・試験信号受信手段と、を有することを特徴とする。
【００３４】
そして、本発明における光ノード装置は、請求項１から３のいずれか１項に記載の光ノード装置において、前記試験用の光信号が通過する経路中に、前記光パッチコードの接続の異常箇所を特定するためのループバックスイッチ部をさらに設けたことを特徴とする。
【００３５】
また、本発明における光ノード装置は、請求項１から９のいずれか１項に記載の光ノード装置において、前記光クロスコネクト部、波長セレクト部、光スプリット・セレクト部、及びトランスポンダ部によって構成される光ノード装置は、ＲＯＡＤＭノード装置であることを特徴とする。
【００３６】
さらに、上記課題を解決するため、請求項１１に記載の本発明における接続確認方法は、少なくとも光クロスコネクト部、波長セレクト部、光スプリット・セレクト部、及びトランスポンダ部が互いに光パッチコードによって接続された光ノード装置の接続確認方法であって、制御手段が試験用の光信号の送信及び停止を制御する工程と、送信手段が前記制御手段からの指令により前記試験用の光信号を送信する工程と、受信手段が前記送信手段から送信された前記試験用の光信号を受信する工程と、判別手段が前記受信手段において前記試験用の光信号を受信できたか否かを判別する工程と、を含むことを特徴とする。
【００３７】
また、上記課題を解決するため、請求項１２に記載の本発明におけるプログラムは、少なくとも光クロスコネクト部、波長セレクト部、光スプリット・セレクト部、及びトランスポンダ部が互いに光パッチコードによって接続された光ノード装置の接続確認を実行するプログラムであって、制御手段が試験用の光信号の送信及び停止を制御する処理と、送信手段が前記制御手段からの指令により前記試験用の光信号を送信する処理と、受信手段が前記送信手段から送信された前記試験用の光信号を受信する処理と、判別手段が前記受信手段において前記試験用の光信号を受信できたか否かを判別する処理と、を含むことを特徴とする。
【発明の効果】
【００３８】
本発明によれば、接続の正常性確認が容易となり、誤接続や、誤接続によるシステム運用中の主信号への干渉の影響を排除することができる光ノード装置、光ノード装置の接続確認方法、及びプログラムを得ることができる。
【図面の簡単な説明】
【００３９】
【図１】本発明の実施形態における光ノード装置（ＲＯＡＤＭノード）の構成を示す概略図である。
【図２】本発明の実施形態における光ノード装置（ＲＯＡＤＭノード）の接続確認方法の流れを示すフロー図である。
【図３】本発明の他の実施形態１における光ノード装置（ＲＯＡＤＭノード）の構成を示す概略図である。
【図４】本発明の他の実施形態２における光ノード装置（ＲＯＡＤＭノード）の構成を示す概略図である。
【図５】本発明の他の実施形態３における光ノード装置（ＲＯＡＤＭノード）の構成を示す概略図である。
【図６】本発明の他の実施形態４における光ノード装置（ＲＯＡＤＭノード）の構成を示す概略図である。
【図７】従来のＲＯＡＤＭノードの構成を示すブロック図である。
【発明を実施するための形態】
【００４０】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、システム運用前に、ノード内の光パッチコード接続及び光波長アド・ドロップ設定の正常性を、主信号とは異なる接続検出光により確認することで、接続の正常性の確認作業を容易にし、また、正常な接続が確実に確立されてからシステムの運用を開始することが可能となり、誤接続や誤接続によるシステム運用中の主信号への干渉を防止することが可能となるのである。
【００４１】
図１は、本発明の実施形態における光ノード装置（ＲＯＡＤＭノード）の構成を示す概略図である。図１を参照すると、本発明の実施形態として、ノード内の光パッチコード接続及び光波長アド・ドロップ設定の正常性を確認する機能を備えたＲＯＡＤＭノードの構成が示されている。
【００４２】
図１において、ドロップ（ＤＲＯＰ）方向の接続の正常性を確認するため、接続検出光送信部１、接続検出光送信部２、及び接続検出光受信部３を備える。接続検出光送信部１又は接続検出光送信部２から出力される検出光は、それぞれ送信光バンドカプラ部１又は送信光バンドカプラ部２により主信号の経路に結合され、光分配部１又は光分配部２、波長選択部１又は波長選択部２、受信光スプリット部１又は受信光スプリット部２、受信光スイッチ部１、受信光バンドカプラ部３を通って接続検出光受信部３に至り、受信される。
【００４３】
また、接続検出光送信部３から出力される検出光は、それぞれ送信光スイッチ部１と、送信光スプリット部１又は送信光スプリット部２、光カプラ部１又は光カプラ部２を通って受信光バンドカプラ部１又は受信光バンドカプラ部２に接続され、接続検出光受信部１又は接続検出光受信部２に至り、受信される。
【００４４】
装置制御・管理部１０１は、接続検出光送信部３への接続検出光の送信・停止制御を行い、接続検出光受信部１又は接続検出光受信部２といった期待される接続先において接続検出光を受信することができたか否か判定し、接続の正常性を判定する。接続の正常性を確認することができなかったとき、装置制御・管理部１０１は警報を鳴動させ、ユーザに対して接続確認・修正を行うことを促す。すなわち、接続検出光受信部１又は接続検出光受信部２において検出された光レベルにより、接続品質の正常性を確認する機能を有する。
【００４５】
接続検出光送信部１、接続検出光送信部２において反射光が確認された場合には、装置制御・管理部１０１は、未接続箇所や光コネクタ部の汚れがあると判定し、警報を鳴動させ、ユーザに対して接続箇所の確認や光コネクタの清掃を行うことを促す。接続検出光送信部１又は接続検出送信部２に反射モニタを配置し、接続検出光の反射レベルをモニタすることにより、未接続状態や光コネクタの汚れを検出することができる。
【００４６】
図１において、アド（ＡＤＤ）方向の接続の正常性確認のため、接続検出光送信部３、接続検出光受信部１、及び接続検出光受信部２を備える。接続検出光送信部１又は接続検出光送信部２から出力される検出光は、それぞれ送信光バンドカプラ部１又は送信光バンドカプラ部２により主信号の経路に結合され、光分配部１又は光分配部２、波長選択部１又は波長選択部２、受信光スプリット部１又は受信光スプリット部２、受信光スイッチ部１、受信光バンドカプラ部３を通って接続検出光受信部３に至り、受信される。
【００４７】
また、接続検出光送信部３から出力される検出光は、それぞれ送信光スイッチ部１と、送信光スプリット部１又は送信光スプリット部２、光カプラ部１又はカプラ部２を通って受信光バンドカプラ部１又は受信光バンドカプラ部２に接続され、接続検出光受信部１又は接続検出光受信部２に至り、受信される。
【００４８】
装置制御・管理部１０１は、接続検出光送信部３への接続検出光の送信・停止制御を行い、接続検出光受信部１又は接続検出光受信部２といった期待される接続先において接続検出光を受信することができたか否か判定し、接続の正常性を判定する。接続の正常性を確認することができなかったとき、装置制御・管理部１０１は警報を鳴動させ、ユーザに対して接続確認・修正を行うことを促す。すなわち、接続検出光受信部１又は接続検出光受信部２において検出された光レベルにより、接続品質の正常性を確認する機能を有する。
【００４９】
接続検出光送信部３において反射光が確認された場合には、装置制御・管理部１０１は、未接続箇所や光コネクタ部の汚れがあると判定し、警報を鳴動させ、ユーザに対して接続箇所の確認や光コネクタの清掃を行うことを促す。接続検出光送信部３に反射モニタを配置し、接続検出光の反射レベルをモニタすることにより、未接続状態や光コネクタの汚れを検出することができる。
【００５０】
以上詳細に本発明の実施形態の構成を説明したが、図１の受信アンプ部、光分配部、波長選択部、受信光スプリット部、受信光スイッチ部、主信号受信部、主信号送信部、送信光スイッチ部、送信光スプリット部、光カプラ部、波長選択接続部、及び送信アンプ部は、当業者にとってよく知られており、また本発明の本質とは直接関係しないので、その詳細な説明は省略する。
【００５１】
次に、本発明の実施形態におけるＲＯＡＤＭノードの動作について説明する。図２は、本発明の実施形態における光ノード装置（ＲＯＡＤＭノード）の接続確認方法の流れを示すフロー図であり、具体的には、接続の正常性確認を用いた光方路・トランスポンダの増設手順を示している。
【００５２】
まず、光パッチコード（図示せず）により、ＲＯＡＤＭノード内の各部を接続する（ステップ、（以下、「Ｓ」という。）２０１）。そして、装置制御・管理部１０１により、光波長アド・ドロップの設定が開始される（Ｓ２０２）。
【００５３】
次に、接続検出光送信部１は、主信号と異なる接続検出用の光波長を送信する（Ｓ２０３）。接続検出光は、送信光バンドカプラ部１によって主信号の経路に結合され、光分配部１、波長選択部１、受信光スプリット部１、及び受信光スイッチ部１を通って受信光バンドカプラ部３に出力される。
【００５４】
受信光バンドカプラ部３は、波長によって信号を分配する機能を有するため、接続検出光は接続検出光受信部３の方向に出力される。接続検出光受信部３において接続検出光が受信され（Ｓ２０４）、装置制御・管理部１０１において、期待する接続先で接続検出光が受信されたか否かが判定され、受信できていれば接続が正常と判定される（Ｓ２０５）。
【００５５】
接続が正常であると判定されなかったとき、装置制御・管理部１０１は警報を鳴動させ、ユーザに対して接続確認・修正を行うことを促す。また、接続検出光送信部１において検出された光レベルにより反射光が確認された場合には、装置制御・管理部１０１によって未接続箇所や光コネクタ部の汚れがあると判定され、警報を鳴動させ、ユーザに対して接続箇所の確認や光コネクタの清掃を行うことを促す。さらに、接続検出光受信部３において検出された光レベルにより、接続品質の正常性を判定する。これにより、光クロスコネクト部１からトランスポンダ部１方向への光接続の正常性が判断される（Ｓ２０５）。
【００５６】
次に、接続検出光送信部３は、主信号と異なる接続検出用の光波長を送信する（Ｓ２０６）。接続検出光は、送信光バンドカプラ部３によって主信号の経路に結合され、送信光スイッチ部１、送信光スプリット部１、光カプラ部１を通って受信光バンドカプラ部１に出力される。
【００５７】
受信光バンドカプラ部１は、波長によって信号を分配する機能を有するため、接続検出光は接続検出光受信部１の方向に出力される。接続検出光受信部１において接続検出光が受信され（Ｓ２０７）、装置制御・管理部１０１において、期待する接続先で接続検出光が受信されたか否かが判定され、受信できていれば接続が正常と判定される（Ｓ２０８）。
【００５８】
接続が正常であると判定されなかったとき、装置制御・管理部１０１は警報を鳴動させ、ユーザに対して接続確認・修正を行うことを促す。また、接続検出光送信部３において検出された光レベルによりにより、反射光が確認された場合には、装置制御・管理部１０１によって未接続箇所や光コネクタ部の汚れがあると判定され、警報を鳴動させ、ユーザに対して接続箇所の確認や光コネクタの清掃を行うことを促す。さらに、接続検出光受信部1にて検出された光レベルにより、接続品質の正常性を判定する。これにより、トランスポンダ部１から光クロスコネクト部１方向への光接続の正常性が判断される（Ｓ２０８）。
【００５９】
そして、これら一連の接続検出光による確認が終了すると、主信号の波長を使用して、実際のシステムの運用が開始される（Ｓ２０９）。
【００６０】
本発明の他の実施形態として、その基本的構成は上記の通りであるが、接続検出光の送信／受信方法についてさらに工夫している。その構成について図３を参照して説明する。図３は、本発明の他の実施形態１における光ノード装置（ＲＯＡＤＭノード）の構成を示す概略図である。図３では、トランスポンダ部１に搭載する接続検出光送信部と、主信号送信部とを一体化すると共に、接続検出光受信部と、主信号受信部とを一体化している。主信号・接続検出光送信部１は可変波長の光送信部を備え、送信波長を接続検出光の波長に変更することにより、接続検出光の送信を実現するものである。また、主信号・接続検出光受信部２は可変波長の光受信部を備え、受信波長を接続検出光の波長に変更することにより、接続検出光の受信を実現するものである。
【００６１】
また、図４は、本発明の他の実施形態２における光ノード装置（ＲＯＡＤＭノード）の構成を示す概略図である。図４に示すとおり、送信光バンドカプラ部、受信光バンドカプラ部をそれぞれ、送信光切替スイッチ部、受信光切替スイッチ部に置き換え、装置制御・管理部１０１からの制御により、接続検出光の送信・停止に合わせて、光スイッチを切り替えて実現するものである。
【００６２】
さらに、図５は、本発明の他の実施形態３における光ノード装置（ＲＯＡＤＭノード）の構成を示す概略図である。図５に示すとおり、上記した他の実施形態１（図３）と他の実施形態２（図４）とを同時に実施したものである。
【００６３】
また、図６は、本発明の他の実施形態４における光ノード装置（ＲＯＡＤＭノード）の構成を示す概略図である。図６に示すとおり、各部の入力側ブロック、出力側ブロックにそれぞれ送信光バンドカプラ部、ループバックスイッチ部、及び受信光バンドカプラ部を備え、装置制御・管理部１０１からの制御により、ループバックスイッチ部を制御し、各部においてループバックされた接続検出光を接続検出光受信部で受信することにより実現するものである。
【００６４】
送信光バンドカプラ部、受信光バンドカプラ部により、主信号に影響を与えず、接続検出光のみをループバックすることが可能となる。ループバックスイッチは、通常時は、接続検出光を、主信号の経路に戻して接続するように制御されている。この場合、接続の正常性の確認に加えて、どの箇所までの接続が正常であるのかを確認することが可能となる。
【００６５】
以上説明してきたように、本発明によれば、接続検出光送信部と接続検出光受信部とを配置し、接続検出光送信部からの接続検出光を、接続検出光受信部において受信することにより、接続の正常性を確認でき、この接続の正常性の確認について、主信号とは異なる波長を有する接続検出光を使用することにより、運用中の主信号との干渉を発生させることなく、接続の正常性を確認できるのである。
【００６６】
また、本発明によれば、接続検出光送信部と接続検出光受信部とを装置制御・管理部を経由して制御することにより、検出光の送信・停止、及び接続の正常性の確認を遠隔から実施することができる、接続の正常性が確認できなかったときには、装置制御・管理部から警報を鳴動させることにより、ユーザが瞬時に接続ミスに気付き、接続確認及び修正を行うことができるのである。
【００６７】
さらに、本発明によれば、接続検出光送信部に反射モニタを配置し、接続検出光の反射レベルをモニタすることにより、未接続状態や光コネクタの汚れを検出することができ、接続検出光受信部において光レベルをモニタすることにより、接続検出光の光レベルをモニタし、接続の品質を判定することができるのである。
【００６８】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【００６９】
上記の実施形態の一部又は全部は、以下の付記のようにも記載されうるが、以下には限られない。
（付記１）
少なくとも光クロスコネクト部、波長セレクト部、光スプリット・セレクト部、及びトランスポンダ部が互いに光パッチコードによって接続された光ノード装置であって、試験用の光信号の送信及び停止を制御する制御手段と、前記制御手段からの指令により前記試験用の光信号を送信する送信手段と、前記送信手段から送信された前記試験用の光信号を受信する受信手段と、前記受信手段において、前記試験用の光信号を受信できたか否かを判別する判別手段と、を含むことを特徴とする光ノード装置。
（付記２）
前記判別手段において、前記試験用の光信号を受信することができなかったと判別されたときには、前記光パッチコードの接続に異常がある旨を報知する報知手段をさらに含むことを特徴とする付記１に記載の光ノード装置。
（付記３）
前記送信手段において、前記試験用の光信号が反射されたか否かを判定する判定手段をさらに含み、前記報知手段は、前記判定手段において、前記試験用の光信号が反射されたと判定されたときには、前記光パッチコードの接続に異常がある旨を報知することを特徴とする付記２に記載の光ノード装置。
（付記４）
前記試験用の光信号は、前記光ノード装置の運用時に使用される光信号とは異なる波長を有することを特徴とする付記１から３のいずれかに記載の光ノード装置。
（付記５）
前記試験用の光信号と前記運用時に使用される光信号とを分離及び結合する分離結合手段をさらに含むことを特徴とする付記１から４のいずれかに記載の光ノード装置。
（付記６）
前記分離結合手段は、前記試験用の光信号と前記運用時に使用される光信号とを、波長の相違に基づいて分離結合することを特徴とする付記５に記載の光ノード装置。
（付記７）
前記判別手段は、前記受信手段において受信された前記試験用の光信号のレベルに基づいて判別を行い、前記判定手段は、前記送信手段において反射された前記試験用の光信号のレベルに基づいて判定を行うことを特徴とする付記１から３のいずれかに記載の光ノード装置。
（付記８）
前記トランスポンダ部は、前記運用時に使用される光信号を送信する主信号送信手段と、前記試験用の光信号を送信する試験信号送信手段とを一体化した主信号・試験信号送信手段と、前記運用時に使用される光信号を受信する主信号受信手段と、前記試験用の光信号を受信する試験信号受信手段とを一体化した主信号・試験信号受信手段と、を有することを特徴とする付記１から４のいずれかに記載の光ノード装置。
（付記９）
前記試験用の光信号が通過する経路中に、前記光パッチコードの接続の異常箇所を特定するためのループバックスイッチ部をさらに設けたことを特徴とする付記１から３のいずれかに記載の光ノード装置。
（付記１０）
前記光クロスコネクト部、波長セレクト部、光スプリット・セレクト部、及びトランスポンダ部によって構成される光ノード装置は、ＲＯＡＤＭ(Reconfigurable Optical Add Drop Multiplexer)ノード装置であることを特徴とする付記１から９のいずれかに記載の光ノード装置。
（付記１１）
少なくとも光クロスコネクト部、波長セレクト部、光スプリット・セレクト部、及びトランスポンダ部が互いに光パッチコードによって接続された光ノード装置の接続確認方法であって、制御手段が試験用の光信号の送信及び停止を制御する工程と、送信手段が前記制御手段からの指令により前記試験用の光信号を送信する工程と、受信手段が前記送信手段から送信された前記試験用の光信号を受信する工程と、判定手段が前記受信手段において前記試験用の光信号を受信できたか否かを判別する工程と、を含むことを特徴とする接続確認方法。
（付記１２）
少なくとも光クロスコネクト部、波長セレクト部、光スプリット・セレクト部、及びトランスポンダ部が互いに光パッチコードによって接続された光ノード装置の接続確認を実行するプログラムであって、制御手段が試験用の光信号の送信及び停止を制御する処理と、送信手段が前記制御手段からの指令により前記試験用の光信号を送信する処理と、受信手段が前記送信手段から送信された前記試験用の光信号を受信する処理と、判定手段が前記受信手段において前記試験用の光信号を受信できたか否かを判別する処理と、を含むことを特徴とするプログラム。
【符号の説明】
【００７０】
１    光ノード装置（ＲＯＡＤＭノード）
１００    管理者
１０１    装置制御・管理部
【図１】
0005811549.tif 000002
【図２】
0005811549.tif 000003
【図３】
0005811549.tif 000004
【図４】
0005811549.tif 000005
【図５】
0005811549.tif 000006
【図６】
0005811549.tif 000007
【図７】
0005811549.tif 000008